【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
少なくとも１つの弱化溝を含む１枚の板状製品、特にチョコレートバー、または、少なくとも１つが少なくとも１つの弱化溝を含む複数の板状製品、特に複数のチョコレートバーを収容および分割するための充填済み容器、特にボックスであって、前記複数の板状製品は積重ねて配置され、前記板状製品は、前記弱化溝に沿って別個の個片に分離されるよう適合され、
前記容器は長手方向軸を有し、
前記容器は、閉じられた第１の位置から開かれた第２の位置にまで移動させることができ、
前記容器は、
容器蓋と、前記容器蓋に接続されて第１のリムを有する第１の側壁とを備える上方部分と；
容器底と、前記容器底に接続されて第２のリムを有する第２の側壁とを備える対応する下方部分と；
前記容器の内部に、上面および反対側の底面を備え、特にその上面に、少なくとも１つの、特に真っすぐな弱化溝、特に複数の弱化溝を有する１枚の板状製品；
または、特に、
前記容器の内部に複数の板状製品と；を備え、前記複数の板状製品は各々、上面および反対側の底面を有し、積重ねて配置され、特にそれぞれの上面に、少なくとも１つの特に真っすぐな弱化溝、特に複数の弱化溝を備え、
前記１枚の板状製品の上面は容器蓋の方に向けられ、前記１枚の板状製品の底面は容器底の方に向けられ、
または、前記上方の板状製品の上面もしくは板状製品の積重ねのうちすべての板状製品の上面は、容器蓋の方に向けられ、
前記積重ねのうち最下層の板状製品の底面もしくは前記積重ねのうちすべての板状製品の底面が容器底の方に向けられ、前記容器はさらに、
任意には、前記積重ねのうち隣接する板状製品同士の間に少なくとも１つの第１の保護層、および／または、容器蓋と前記１枚の板状製品の上面との間もしくは容器蓋と前記積重ねの上方の板状製品の上面との間に少なくとも１つの第２の保護層、および／または、前記１枚の板状製品の底面と容器底との間もしくは前記積重ねにおける最下層の板状製品の底面と前記容器底との間に少なくとも１つの第３の保護層を備え、
前記１枚の板状製品または前記複数の板状製品は、前記弱化溝に沿って個片に分離可能であり、
容器の前記上方部分は、特に形状、厚さおよび／または材料に関して、容器が少なくとも１つの第１の動作区域おいて閉位置にあるときに、その容器蓋を、特に前記容器の長手方向軸に沿って、前記容器の内部の方向に、第１の最大撓みを含む少なくとも第１の撓み範囲にまで、特に可逆的に押すことができるような態様で、配置および適合され、ならびに／または、
容器の前記下方部分は、特に形状、厚さおよび／または材料に関して、容器が少なくとも１つの第２の動作区域において閉位置にあるときに、その容器底を、特に前記容器の長手方向軸に沿って、前記容器の内部の方向に、第２の最大撓みを含む少なくとも第２の撓み範囲にまで、特に可逆的に押すことができるような態様で、配置および適合され、
容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離は、特に、１枚の板状製品または板状製品の積重ねが前記容器底もしくは前記第３の保護層の上に載っている場合、前記第１の撓み範囲もしくは前記第１の最大撓みよりも小さく、ならびに／または、
容器底、特に容器の閉位置での前記第２の動作区域と１枚の板状製品の底面との間の距離、もしくは、容器底、特に容器の閉位置での前記第２の動作区域と前記積重ねのうち最下層の板状製品の底面との間の距離、もしくは、容器底、特に容器の閉位置での前記第２の動作区域と前記第３の保護層との間の距離は、特に、１枚の板状製品または板状製品の積重ねが前記容器蓋もしくは前記第２の保護層の上に載っている場合には、前記第２の撓み範囲または前記第２の最大撓みよりも小さく、ならびに／または、
容器底、特に容器の閉位置での前記第２の動作区域と１枚の板状製品の底面との間の距離、もしくは、容器底、特に容器の閉位置での前記第２の動作区域と前記積重ねのうち最下層の板状製品の底面との間の距離、もしくは、容器底、特に容器の閉位置での前記第２の動作区域と前記第３の保護層との間の距離と、容器蓋、特に容器の閉位置での前記第１の動作区域と１枚の板状製品の上面との間の距離、もしくは、容器蓋、特に容器の閉位置での前記第１の動作区域と前記積重ねのうち前記上方の板状製品の上面との間の距離、もしくは、容器蓋、特に容器の閉位置での前記第１の動作区域と前記第２の保護層との間の距離との合計は、前記第１および第２の撓み範囲の合計、もしくは前記第１および第２の最大撓みの合計よりも小さく、このため、前記容器蓋、特に前記第１の動作区域を、前記容器の内部の方向に、特にその長手方向軸に沿って撓ませたとき、および／または、前記容器底、特に前記第２の動作区域を、前記容器の内部の方向に、特にその長手方向軸に沿って撓ませたとき、少なくとも１つの板状製品、特にすべての板状製品は、弱化溝のうち少なくとも１つ、特に本質的にすべてに沿って個片に分離可能であるかまたは分離される、容器。
【請求項２】
前記容器の上方部分、特に前記容器蓋、および／または、前記容器の下方部分、特に前記容器底は、プラスチックおよび／もしくは金属、特にプラスチックシートおよび／もしくは金属シートを含むか、または、プラスチックおよび／もしくは金属、特にプラスチックシートおよび／もしくは金属シートでできている、請求項１に記載の容器。
【請求項３】
前記積重ねは、少なくとも２つ、３つ、４つ、５つ、６つまたは７つの、特に、食用の板状製品、特にチョコレートバーを含む、請求項１または２に記載の容器。
【請求項４】
少なくとも２つの板状製品、特にすべての板状製品は、長さおよび／または幅および／または直径および／または厚さの点で本質的に同一である、請求項１から３のいずれかに記載の容器。
【請求項５】
少なくとも２つの板状製品、特にすべての板状製品は、構成の断面形状および／または長さおよび／またはパターンに関して本質的に同一の弱化溝を呈する、請求項１から４のいずれかに記載の容器。
【請求項６】
板状製品は、本質的に多角形、たとえば長方形もしくは正方形の基本形状、または円形もしくは楕円形の基本形状を呈する、請求項１から５のいずれかに記載の容器。
【請求項７】
板状製品の少なくとも２つの弱化溝、特にすべての弱化溝が、特に板状製品の基本形状の中心において少なくとも１つの交差区域を有するか、または、板状製品のすべての弱化溝が、基本形状の１つの交差区域、特に中心の交差区域において互いに交差する、請求項１から６のいずれかに記載の容器。
【請求項８】
前記第１の側壁および／もしくは前記第１のリムは第１の保持手段を含むかもしくは表わし、ならびに／または、前記第２の側壁および／もしくは前記第２のリムは第２の保持手段を含むかもしくは表わす、請求項１から７のいずれかに記載の容器。
【請求項９】
容器の上方部分は、前記第１の位置で容器を閉じ、前記第２の位置で前記容器をブロック解除し、前記第１の位置においては、前記第１の側壁および／もしくは前記第１のリムおよび／もしくは前記第１の保持手段が、容器の前記下方部分とで、特に前記第２の側壁および／もしくは前記第２のリムおよび／もしくは前記第２の保持手段とで、形状拘束を呈し、
容器の前記上方部分は、前記容器の内部の方向への、特にその長手方向軸に沿った特に前記第１の動作区域の第１の撓み時に、前記第１の位置から前記第２の位置に移動させることができ、これにより、前記形状拘束が特に可逆的に解放され、ならびに／または、
容器の下方部分は、第１の位置で前記容器を閉じ、前記第２の位置で前記容器をブロック解除し、前記第１の位置において、前記第２の側壁および／もしくは前記第２のリムおよび／もしくは前記第２の保持手段は、容器の前記上方部分とで、特にその第１の側壁および／もしくは第１のリムおよび／もしくは前記第１の保持手段とで形状拘束を呈し、
容器の前記下方部分は、前記容器の内部の方向への、特にその長手方向軸に沿った特に前記第２の動作区域の第２の撓み時に、前記第１の位置から前記第２の位置へと移動させることができ、このため、形状拘束が特に可逆的に解放される、請求項１から８のいずれかに記載の容器。
【請求項１０】
前記第１の動作区域は、容器蓋の中心部分を表わすかもしくは含み、ならびに／または、前記第２の動作区域は、容器の底の中心部分を表わすかもしくは含む、請求項１から９のいずれかに記載の容器。
【請求項１１】
前記容器蓋、特に前記第１の動作区域を前記容器の内部の方向に、特にその長手方向軸に沿って、前記第１の撓み範囲にわたって、特に前記第１の最大撓みにまで撓ませたとき；または、
前記容器底、特に前記第２の動作区域を前記容器の内部の方向に、特にその長手方向軸に沿って、前記第２の撓み範囲にわたって、特に前記第２の最大撓みにまで撓ませたとき；または、
前記容器蓋、特に前記第１の動作区域を前記容器の内部の方向に、特にその長手方向軸に沿って、前記第１の撓み範囲にわたって、特に前記第１の最大撓みにまで撓ませたとき；および、
前記容器底、特に前記第２の動作区域を前記容器の内部の方向に、特にその長手方向軸に沿って、前記第２の撓み範囲にわたって、特に前記第２の最大撓みにまで撓ませたとき、
少なくとも１つの板状製品、特にすべての板状製品が、弱化溝のうち少なくとも１つ、特に本質的にすべてに沿って、個片に分離可能であるかまたは分離される、請求項１から１０のいずれかに記載の容器。
【請求項１２】
前記第１の動作区域は、１つ、いくつかもしくはすべての板状製品の弱化溝が互いに交差している区域と少なくとも部分的な重なりを有し、および／または、前記第２の動作区域は、１つ、いくつかもしくはすべての板状製品の弱化溝が互いに交差している区域と少なくとも部分的な重なりを有する、請求項１から１１のいずれかに記載の容器。
【請求項１３】
弱化溝が互いに交差している区域が、板状製品の基本形状の中心と少なくとも部分的な重なり有する、請求項１２に記載の容器。
【請求項１４】
特に基本形状の中心区域に位置する場合、積重ねにおける隣接する板状製品、特にすべての板状製品、の弱化溝の交差する区域が本質的に部分的に重なった態様で配置される、請求項７から１３のいずれかに記載の容器。
【請求項１５】
積重ねにおける隣接する板状製品、特にすべての板状製品、の少なくとも１つの弱化溝、特にすべての弱化溝が本質的に部分的に重なった態様で配置される、請求項１から１４のいずれかに記載の容器。
【請求項１６】
前記容器の基本形状と、板状製品、特に板状製品の前記積重ね、の基本形状が、本質的に同一である、請求項１から１５のいずれかに記載の容器。
【請求項１７】
前記板状製品の基本形状の大きさ、特に板状製品の積重ねの大きさが、特に、容器の基本形状の大きさよりもわずかに小さい、請求項１６に記載の容器。
【請求項１８】
板状製品の前記分離可能な個片が、三角形の基本形状または円弧の形状を呈する、請求項１から１７のいずれかに記載の容器。
【請求項１９】
第１の保護層および／もしくは第３の保護層が１枚の紙を表わすかもしくは含むこと、ならびに／または、前記第２の保護層および／もしくは前記第３の保護層、特に前記第２保護層だけが、詰物層または緩衝材層、特に紙が詰込まれた層を表わすかもしくは含む、請求項１から１８のいずれかに記載の容器。
【請求項２０】
前記第１の側壁に圧力を加えたとき、前記第１のリムおよび／もしくはその反対側にある前記第１の保持手段、前記第１の側壁および／もしくは前記第１のリムおよび／もしくは前記第１の保持手段によって、容器の下方部分とで、特にその第２の側壁および／もしくはその第２のリムおよび／もしくはその第２の保持手段とで形状拘束が得られ、これにより、容器が、開かれた第２の位置から閉じられた第１の位置へと移される、請求項９から１９のいずれかに記載の容器。
【請求項２１】
容器の基本形状の大きさおよび１枚の板状製品または板状製品の積重ねの基本形状の大きさにより隙間が設けられ、これにより、特に容器蓋の上方部分および／または特に容器底の下方部分を撓ませたときに、それらの弱化溝に沿って分割させた個片を側方に移動させることが可能となる、請求項１から２０のいずれかに記載の容器。
【請求項２２】
前記弱化溝のフランクが傾斜され、平均で５°〜６０°の範囲、特に２５°〜４５°の範囲、より特定的には３０°〜４０°の範囲の角度を形成し、ならびに／または、弱化溝の最大幅が平均で３ミリメートル（ｍｍ）〜９ｍｍの範囲、特に４ｍｍ〜８ｍｍの範囲、より好ましくは６ｍｍ〜７ｍｍの範囲であり、ならびに／または、弱化溝の深さが平均で２ｍｍ〜６ｍｍの範囲、特に２．５ｍｍ〜５ｍｍの範囲、より好ましくは３ｍｍ〜４ｍｍの範囲であり、ならびに／または、板状製品の厚さが平均で８ｍｍ〜２０ｍｍの範囲、特に８ｍｍ〜１４ｍｍの範囲、より好ましくは１０．５〜１２ｍｍの範囲であり、ならびに／または、円形の板状製品の直径が５０ｍｍ〜１５０ｍｍの範囲、特に６０ｍｍ〜１２０ｍｍの範囲、より好ましくは７０ｍｍ〜１００ｍｍの範囲であり、ならびに／または、弱化溝の深さが、平均で、板状製品の厚さの１０％から６０％、特に２０％から５０％、より好ましくは２５〜４５％である、請求項１から２１のいずれかに記載の容器。
【請求項２３】
ｃｌｉｃ−ｃｌａｃ型ボックスを含むかまたは表す、請求項１から２２のいずれかに記載の容器。
【請求項２４】
弱化溝を含む１枚の板状製品または複数の板状製品、特にチョコレートバーを個片に分割するための、請求項１から２３のいずれかに記載の、特に請求項９から２３のいずれかに記載の容器の使用であって、前記板状製品は前記分割プロセス中に前記容器に保持される、使用。
【請求項２５】
弱化溝を含む１枚の板状製品または複数の板状製品、特にチョコレートバー、を個片に分割するためのｃｌｉｃ−ｃｌａｃ型ボックスの、特に請求項２４に記載の使用であって、前記板状製品は前記分割プロセス中に前記ｃｌｉｃ−ｃｌａｃ型ボックスに保持される、使用。
【請求項２６】
前記容器またはボックスは、複数の板状製品、特に複数のチョコレートバーを含み、少なくとも１つの板状製品は少なくとも１つの弱化溝、特に少なくとも２つの弱化溝を含み、前記複数の板状製品は積重ねて配置される、請求項２４または２５に記載の使用。
【請求項２７】
１つ以上の板状製品、特にチョコレートバー、を記板状製品における弱化溝に沿って個片に分割するためのプロセスであって、
請求項１から２３のいずれかに記載の容器、たとえばｃｌｉｃ−ｃｌａｃ型ボックスを設けるステップと、
少なくとも１つの弱化溝、特に少なくとも２つの弱化溝を含む１枚の板状製品、特にチョコレートバー、または、少なくとも１つが少なくとも１つの弱化溝、特に少なくとも２つの弱化溝を含む複数の板状製品、特に複数のチョコレートバー、を配置するステップとを含み、前記複数の板状製品は前記容器またはボックスにおいて積重ねて配置され、前記プロセスはさらに、
特に第１の動作区域における前記容器もしくはボックスの上方部分、特に蓋、ならびに／または、特に前記第２の動作区域における前記容器もしくはボックスの下方部分、特に容器底を、容器もしくはボックスの前記上方部分、特に容器蓋が特にその長手方向軸に沿って前記容器の内部の方向に撓まされるような態様で、ならびに／または、前記容器もしくはボックスの下方部分、特に前記容器もしくはボックスの容器底がその長手方向軸に沿って前記容器もしくはボックスの内部の方向に撓まされるような態様で、撓ませることにより、板状製品を前記弱化溝に沿って個片に分割するステップを含む、プロセス。
【請求項２８】
板状製品が提供され、前記板状製品においては、前記板状製品の少なくとも２つの弱化溝、特にすべての弱化溝が特に板状製品の基本形状の中心において少なくとも１つの交差区域を有するか、または、板状製品のすべての弱化溝が基本形状の１つの、特に中心の交差区域において互いに交差している、請求項２７に記載のプロセス。
【請求項２９】
前記第１の動作区域が容器蓋の中心部分を表わすかもしくは含み、ならびに／または、前記第２の動作区域が容器の底の中心部分を表わすかもしくは含むことが規定される、請求項２７または２８に記載のプロセス。
【請求項３０】
前記第１の撓みが前記第１の撓み範囲にわたって、特に前記第１の最大撓みにまで延在し、および／または、前記第２の撓みが前記第２の撓み範囲にわたって、特に前記第２の最大撓みにまで延在することが規定される、請求項２７から２９のいずれかに記載のプロセス。
【請求項３１】
前記第１の動作区域が、１つ、いくつかもしくはすべての板状製品の弱化溝が互いに交差している区域と少なくとも部分的な重なりを有し、および／または、前記第２の動作区域が、１つ、いくつかもしくはすべての板状製品の弱化溝が互いに交差している区域と少なくとも部分的な重なりを有することが規定される、請求項２７から３０のいずれかに記載のプロセス。
【請求項３２】
弱化溝が互いに交差している区域が、板状製品の基本形状の中心と少なくとも部分的な重なりを有することが規定される、請求項３１に記載のプロセス。
【請求項３３】
容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離が、特に１枚の板状製品もしくは板状製品の積重ねが前記容器底もしくは前記第３の保護層の上に載っている場合に、前記第１の撓み範囲もしくは前記第１の最大撓みよりも小さいことが規定され；ならびに／または、
容器底、特に容器の閉位置での前記第２の動作区域と１枚の板状製品の底面との間の距離、もしくは、容器底、特に容器の閉位置での前記第２の動作区域と前記積重ねの最下層の板状製品の底面との間の距離、もしくは、容器底、特に容器の閉位置での前記第２の動作区域と前記第３の保護層との間の距離が、特に１枚の板状製品もしくは板状製品の積重ねが前記容器蓋もしくは前記第２の保護層の上に載っている場合に、前記第２の撓み範囲もしくは前記第２の最大撓みよりも小さいことが規定され；または、
容器底、特に容器の閉位置での前記第２の動作区域と１枚の板状製品の底面との間の距離、もしくは、容器底、特に容器の閉位置での前記第２の動作区域と前記積重ねの最下層の板状製品の底面との間の距離、もしくは、容器底、特に容器の閉位置での前記第２の動作区域と前記第３の保護層との間の距離と、容器蓋、特に容器の閉位置での前記第１の動作区域と１枚の板状製品の上面との間の距離、もしくは、容器蓋、特に容器の閉位置での前記第１の動作区域と前記積重ねの前記上方の板状製品の上面との間の距離、もしくは、容器蓋、特に容器の閉位置での前記第１の動作区域と前記第２の保護層との間の距離との合計は、前記第１および第２の撓み範囲の合計、または前記第１および第２の最大撓みの合計よりも小さいことが規定される、請求項２７から３２のいずれかに記載のプロセス。
【請求項３４】
前記容器蓋、特に前記第１の動作区域を、前記容器の内部の方向に、特にその長手方向軸に沿って、前記第１の撓み範囲にわたって、特に前記第１の最大撓みにまで撓ませたとき、または、
前記容器底、特に前記第２の動作区域を、前記容器の内部の方向に、特にその長手方向軸に沿って、前記第２の撓み範囲にわたって、特に前記第２の最大撓みにまで撓ませたとき、または、
前記容器蓋、特に前記第１の動作区域を、前記容器の内部の方向に、特にその長手方向軸に沿って、前記第１の撓み範囲にわたって、特に前記第１の最大撓みにまで撓ませたとき、および、
前記容器底、特に前記第２の動作区域を、前記容器の内部の方向に、特にその長手方向軸に沿って、前記第２の撓み範囲にわたって、特に前記第２の最大撓みにまで撓ませたとき、
少なくとも１つの板状製品、特にすべての板状製品は、弱化溝のうち少なくとも１つ、特に本質的にすべてに沿って個片に分離されることが規定される、請求項２７から３３のいずれかに記載のプロセス。
【請求項３５】
弱化溝に沿って個片に分割可能な板状製品、特にチョコレートバーであって、
底面、上面およびリムを含み、
前記底面および／または前記上面は、リムにおけるかまたは前記リムに隣接する第１の位置から、前記リムにおけるかまたは前記リムに隣接する第２の位置にまで延在する少なくとも２つの弱化溝を含み、すべての弱化溝が互いに交差している交差区域が１つだけある、板状製品。
【請求項３６】
前記弱化溝が、一回だけ、および／または、板状製品の中心部分において互いに交差する、請求項３５に記載の板状製品。
【請求項３７】
弱化溝は、それらの断面形状に関して、平均で、板状製品の平均厚さの少なくとも３分の１だけ延在する、請求項３５または３６に記載の板状製品。
【請求項３８】
前記弱化溝は上部から底に向かって先細りの断面を有する、請求項３５から３７のいずれかに記載の板状製品。
【請求項３９】
前記交差溝が本質的に真っすぐにライニングされている、請求項３５から３８のいずれかに記載の板状製品。
【請求項４０】
前記板状製品の基本形状は円形または楕円形または多角形である、請求項３５から３９のいずれかに記載の板状製品。
【請求項４１】
前記弱化溝のフランクが傾斜され、平均で５°〜６０°の角度を形成する、請求項３５から４０のいずれかに記載の板状製品。
【請求項４２】
弱化溝の最大幅が、平均で、３ｍｍ〜９ｍｍの範囲、特に４ｍｍ〜８ｍｍの範囲、より好ましくは６ｍｍ〜７ｍｍの範囲であり、ならびに／または、弱化溝の深さが、平均で、２ｍｍ〜６ｍｍの範囲、特に２．５ｍｍ〜５ｍｍの範囲、より好ましくは３ｍｍ〜４ｍｍの範囲であり、ならびに／または、板状製品の厚さが、平均で、８ｍｍ〜２０ｍｍの範囲、特に８ｍｍ〜１４ｍｍの範囲、より好ましくは１０．５ｍｍ〜１２ｍｍの範囲であり、ならびに／または、円形の板状製品の直径が、５０ｍｍ〜１５０ｍｍの範囲、特に６０ｍｍ〜１２０ｍｍの範囲、より好ましくは７０ｍｍ〜１００ｍｍの範囲であり、弱化溝の深さが、平均で、板状製品の厚さの１０％〜６０％、特に２０％〜５０％、より好ましくは２５％〜４５％である、請求項３５から４１のいずれかに記載の板状製品。
【請求項４３】
弱化溝の交差区域の直径または長さは、前記弱化溝の幅よりも広い、請求項３５から４２のいずれかに記載の板状製品。
【請求項４４】
互いに交差する弱化溝によって形成される前記板状製品の少なくとも１つ、特にいくつかまたはすべての分離可能な個片は、リムに隣接する箇所よりも交差区域に隣接する箇所の方が厚さが薄い、請求項３５から４３のいずれかに記載の板状製品。
【請求項４５】
少なくとも１つの弱化溝、特にすべての弱化溝は、リムに隣接する箇所よりも交差区域に隣接する箇所の方が深さが浅い、請求項３５から４４のいずれかに記載の板状製品。
【請求項４６】
請求項３５から４５のいずれかに記載の少なくとも２つの板状製品を含む板状製品の積重ね。